(57)【要約】【課題】発信側ユーザの視点に沿った発信を可能にする。【解決手段】携帯電話網１２、及び無線アクセスポイント２１を介して無線ＬＡＮと接続する無線端末３０を収容する構内交換機（主装置１０）と、構内交換機に接続される内線端末２０とからなる電話システム１であって、構内交換機は、無線アクセスポイントから通知される無線端末の接続状況を示す接続情報を記憶し、内線端末から無線端末へ内線発信すると、記憶した接続情報を読み出し、内線端末に発信方法を提示する画面情報を通知する。【選択図】図１
2016082253.tif 000002
【特許請求の範囲】
【請求項１】
携帯電話網、及び無線アクセスポイントを介して無線ＬＡＮと接続する無線端末を収容する構内交換機と、前記構内交換機に接続される内線端末とからなる電話システムであって、
前記構内交換機は、
前記無線アクセスポイントから通知される前記無線端末の接続状況を示す接続情報を記憶し、前記内線端末から前記無線端末へ内線発信すると、前記記憶した前記接続情報を読み出し、前記内線端末に発信方法を提示する画面情報を通知することを特徴とする電話システム。
【請求項２】
前記無線端末が前記構内交換機に対して位置情報を通知すると、前記構内交換機は、前記内線端末に提示する前記画面情報に前記位置情報を付加して通知することを特徴とする請求項１記載の電話システム。
【請求項３】
前記内線端末へ通知した前記画面情報から内線発信が指示されると、前記構内交換機は、前記内線端末との通話パスを切断した後、前記構内交換機からの発信による前記内線端末の応答により前記内線端末にコールバックを行うことを特徴とする請求項１または２に記載の電話システム。
【請求項４】
内線端末と、携帯電話網及び無線アクセスポイントを介して無線ＬＡＮと接続する無線端末を収容する構内交換機であって、
前記無線アクセスポイントから通知される前記無線端末の接続状況を示す接続情報を記憶する接続情報記憶手段と、
前記内線端末から前記無線端末へ内線発信すると、前記記憶手段から前記接続情報を読み出して前記内線端末に発信方法を提示する画面情報を通知する発信方法提示手段と、を備えたことを特徴とする構内交換機。
【発明の詳細な説明】
【技術分野】
【０００１】
本発明は、電話システムおよび構内交換機に関する。
【背景技術】
【０００２】
例えば、特許文献１に記載されているように、無線ＬＡＮ（Local Area Network）と携帯電話網等、２つの通信網に接続できる通信手段を備えたデュアル端末である、スマートホンや携帯電話が知られている。また、例えば、特許文献２に記載されているように、相手が社内にいるか社外にいるかによりデュアル端末の通信手段を自動的に選択して発信することができる無線端末およびサーバ装置も知られている。
【先行技術文献】
【特許文献】
【０００３】
【特許文献１】特開２００６−８０７０６号公報
【特許文献２】特開２００８−２８７５１号公報
【発明の概要】
【発明が解決しようとする課題】
【０００４】
特許文献２に記載された技術によれば、発信時、ユーザは、相手に対し、どの通信手段を使用して発信するかについて選択することなく、あらかじめ設定された優先順位に基づいて通信手段を自動選択して発信することができる。しかしながら、相手が社内にいるにもかかわらず、一時的に無線ＬＡＮが輻輳し、あるいは電波事情が悪かった場合、中継器である無線アクセスポイントと未接続状態になり圏外と判定され、自動的に３Ｇ回線（携帯電話網）を利用して発信してしまう。
【０００５】
発信側ユーザの視点からすれば、緊急の用件の場合には、通話料金が発生してでもすぐにでも話す必要があるため便利であるが、必ずしも緊急性や重要性を有するものとは限らない。このような通話の場合に、わざわざ通話料金が発生する３Ｇ回線を利用して発信するまでもなく、相手が社内に戻ってきてからでも通話料金が発生しない内線でかければいいという要望もある。また、先に述べたように、一時的に圏外になっていた場合には、少し待つことで内線での通話が可能になる場合がある。このため、発信側ユーザの視点に沿った発信を可能にする電話システムおよび構内交換機の出現が望まれていた。
【０００６】
本発明は、上記した課題を解決するためになされたものであり、発信側ユーザの視点に沿った発信を可能にする、電話システムおよび構内交換機を提供することを目的とする。
【課題を解決するための手段】
【０００７】
上記した課題を解決するために、本発明は、携帯電話網、及び無線アクセスポイントを介して無線ＬＡＮと接続する無線端末を収容する構内交換機と、前記構内交換機に接続される内線端末とからなる電話システムであって、前記構内交換機は、前記無線アクセスポイントから通知される前記無線端末の接続状況を示す接続情報を記憶し、前記内線端末から前記無線端末へ内線発信すると、前記記憶した前記接続情報を読み出し、前記内線端末に発信方法を提示する画面情報を通知することを特徴とする。
【０００８】
また、本発明において、前記無線端末が前記構内交換機に対して位置情報を通知すると、前記構内交換機は、前記内線端末に提示する前記画面情報に前記位置情報を付加して通知することを特徴とする。
【０００９】
また、本発明において、前記内線端末へ通知した前記画面情報から内線発信が指示されると、前記構内交換機は、前記内線端末との通話パスを切断した後、前記構内交換機からの発信による前記内線端末の応答により前記内線端末にコールバックを行うことを特徴とする。
【００１０】
また、本発明は、内線端末と、携帯電話網及び無線アクセスポイントを介して無線ＬＡＮと接続する無線端末を収容する構内交換機であって、前記無線アクセスポイントから通知される前記無線端末の接続状況を示す接続情報を記憶する接続情報記憶手段と、前記内線端末から前記無線端末へ内線発信すると、前記記憶手段から前記接続情報を読み出して前記内線端末に発信方法を提示する画面情報を通知する発信方法提示手段と、を備えたことを特徴とする。
【発明の効果】
【００１１】
本発明によれば、発信側ユーザの視点に沿った発信を可能にする、電話システムおよび構内交換機を提供することができる。
【図面の簡単な説明】
【００１２】
【図１】本発明の実施の形態に係る電話システムの構成図である。
【図２】実施例１の本動作を示すシーケンス図である。
【図３】実施例１の画面構成の一例を示す図である。
【図４】実施例２の動作を示すシーケンス図である。
【図５】実施例２の画面構成の一例を示す図である。
【発明を実施するための形態】
【００１３】
以下、本発明の実施の形態（以下、単に本実施形態という）に係る電話システムについて図面を参照しながら詳細に説明する。
【００１４】
（実施形態の構成）
図１は、本実施形態に係る電話システム１の概要を示すブロック図である。図１に示すように、本実施形態に係る電話システム１は、３Ｇ等の携帯電話網１２及び無線アクセスポイント２１を介して接続されるスマートホン等の無線端末Ｂ（３０）を収容する構内交換機（以下、主装置１０という）と、主装置１０に接続される内線端末Ａ１，Ａ２（２０）とから構成される、例えば、ビジネスホンとして知られる電話システムである。
【００１５】
無線アクセスポイント２１は、無線端末Ｂ（３０）の無線ＬＡＮへの接続を可能にする通信機器であり、自機に無線接続可能な無線端末Ｂ（３０）からの信号を受信し、受信した信号から有線ＬＡＮ１３に送出する信号を生成し、この信号を有線ＬＡＮ１３経由で主装置１０に送信する。また、無線アクセスポイント２１は、主装置１０からの信号を受信し、受信した信号から無線による送信信号を生成し、これを自機に接続された無線端末Ｂ（３０）に無線送信する。このように、無線アクセスポイント２１は、主装置１０と無線端末Ｂ（３０）との通信を中継する中継器としての機能を実現する。
【００１６】
主装置１０は、アナログ方式の公衆交換電話網１１（ＰＳＴＮ（Public Switched Telephone Network））、および３Ｇ回線等と呼ばれる第３世代の高速携帯電話ネットワーク（携帯電話網１２）にも接続される。このため、主装置１０は、網インタフェース部１０１と、内線インタフェース部１０２とを含み構成される。網インタフェース部１０１は、公衆交換電話網１１や携帯電話網１２を介し図示省略した外線電話との通信インタフェースを司る。また、内線インタフェース部１０２は、有線ＬＡＮ１３、あるいは無線アクセスポイント２１経由で接続され内線収容される、それぞれ内線端末Ａ１，Ａ２（２０）、および無線端末Ｂ（３０）との通信インタフェースを司る。なお、有線ＬＡＮ１３には、内線端末Ａ１，Ａ２（２０）が接続される他、無線アクセスポイント２１を介して無線端末Ｂ（３０）が接続される。
【００１７】
無線端末Ｂ（３０）は、ユーザの移動に伴う電波事情により、その接続状況が圏内から圏外へ、あるいは圏外から圏内に遷移することがある。また、無線端末Ｂ（３０）は、主装置１０に対し、例えば、内蔵するＧＰＳ（Global Positioning System）により定期的に位置情報を送信している。
【００１８】
主装置１０は、無線アクセスポイント２１から通知される無線端末Ｂ（３０）の接続状況を示す接続情報を記憶し、内線端末Ａ１，あるいはＡ２（２０）から無線端末Ｂ（３０）へ内線発信すると、記憶した接続情報を読み出し、内線端末Ｂ（３０）に対して発信方法を提示する、例えば、後述する図３（ａ）（ｂ）に一例を示す画面情報を通知する。また、主装置１０は、内線端末Ａ１，またはＡ２（２０）へ通知した画面情報から内線発信が指示されると、内線端末Ａ１，またはＡ２（２０）との通話パスを切断した後、主装置１０からの発信による内線端末Ａ１，またはＡ２（２０）の応答により内線端末Ａ１，またはＡ２（２０）に対してコールバックを行う。
【００１９】
このため、主装置１０は、上記した網インタフェース部１０１と内線インタフェース部１０２の他に、記憶部１０３と、制御部１０４と、を含み構成される。記憶部１０３には、例えば、半導体メモリが実装されており、内線収容される無線端末Ｂ（３０）の電波事情による接続状況を示す接続情報１０３ａ（圏内か圏外か）の他に、着信側端末の内線番号と携帯電話番号とが対で予め記憶された電話番号管理テーブル１０３ｂ、及び後述するコールバック情報１０３ｃ等が割り当てられ格納される。
【００２０】
制御部１０４は、主装置１０が、無線アクセスポイント２１から通知される無線端末Ｂ（３０）の接続状況を示す接続情報を記憶部１０３の所定の領域（接続情報１０３ａ）に記憶するとともに、内線端末Ａ１，またはＡ２（２０）から無線端末Ｂ（３０）に対して内線発信すると、記憶部１０３から接続情報１０３ａを読み出し、内線端末Ｂ（３０）に発信方法を提示する画面情報を通知するように制御する。また、内線端末Ａ１，またはＡ２（２０）へ通知した画面情報から内線発信が指示されると、内線端末Ａ１，またはＡ２（２０）との通信パスを切断した後、主装置１０からの発信による内線端末Ａ１，またはＡ２（２０）の応答により内線端末Ａ１，またはＡ２（２０）にコールバックを行うように制御する。
【００２１】
このため、制御部１０４は、無線端末制御部１０４ａと、呼制御部１０４ｂと、在圏確認部１０４ｃと、ＵＩ（User Interface）提示部１０４ｄと、タイマ監視部１０４ｅの各機能ブロックを含む。ここでいう機能ブロックとは、制御部１０４に実装されるマイクロプロセッサが、内蔵され、あるいは外付けされた記憶部１０３の所定の領域に格納されるプログラムを逐次実行することにより実現される機能単位のブロックをいう。
【００２２】
無線端末制御部１０４ａは、内線インタフェース部１０２を介して接続される無線端末Ｂ（３０）の制御を行う機能ブロックであり、また、無線端末制御部１０４ａは、無線端末Ｂ（３０）から位置情報を取得すると、ＵＩ提示部１０４ｄにその情報を引き渡す。
【００２３】
呼制御部１０４ｂは、例えば、ＳＩＰ（Session Initiation Protocol）等の呼制御プロトコルにしたがい、電話番号を通知して電話を接続しあるいは切断する一連の作業を行う機能ブロックである。なお、ＳＩＰはＬＡＮを使用した場合の呼制御プロトコルである。在圏確認部１０４ｃは、無線アクセスポイント２１から通知される無線端末Ｂ（３０）の接続状況（圏内か圏外か）を一定の間隔で監視し、都度、記憶部１０３の接続情報１０３ａを更新する機能ブロックである。
【００２４】
ＵＩ提示部１０４ｄは、呼制御部１０４ｂによる制御の下で、内線端末Ａ１，Ａ２（２０）のいずれかから無線端末Ｂ（３０）に対して内線発信すると、記憶部１０３の所定の領域に格納された接続情報１０３ａを読み出し、内線発信した内線端末Ａ１またはＡ２（２０）に発信方法を提示する画面情報を通知する発信方法提示手段として機能する機能ブロックである。なお、ＵＩ提示部１０４ｄは、無線端末制御部１０４ａ経由で無線端末Ｂ（３０）から位置情報を取得すると、内線端末Ａ１，Ａ２（２０）に提示する画面情報の中にその位置情報を付加して表示してもよい。
【００２５】
タイマ監視部１０４ｅは、内蔵するタイマを起動し、設定された時間を監視する機能ブロックであり、例えば、後述するコールバック制御の時間監視に使用する。呼制御部１０４ｂは、網インタフェース部１０１を介して接続される外線電話との呼制御を行う他、無線端末制御部１０４ａにより内線端末Ａ１，Ａ２（２０）へ通知した画面情報から内線発信が指示されると、内線端末Ａ１，Ａ２（２０）との通話パスを切断した後、主装置１０からの発信による内線端末Ａ１，Ａ２（２０）の応答により内線端末Ａ１，Ａ２（２０）にコールバックを行う。
【００２６】
（実施形態の動作）
以下、本実施形態に係る電話システム１の動作について、実施例毎、詳細に説明する。
【００２７】
実施例１．
ここでは、内線端末Ａ１（内線Ａ（２０））から無線端末Ｂ（内線Ｂ（３０））に内線発信した場合を想定して説明する。無線アクセスポイント２１は、主装置１０に対し、内線Ｂ（３０）が圏内にいるか圏外にいるかの情報を、定期的あるいは不定期（接続状況に変化があった場合）に通知している（ステップＳ１０１、ステップＳ１０４）。内線Ｂ（３０）から主装置１０に対して位置情報を通知しても良い（ステップＳ１０２）。主装置１０（制御部１０４）は、在圏確認部１０４ｃが、無線アクセスポイント２１から送信されてきた情報に基づき内線Ｂ（３０）が園内にいる（ステップＳ１００）か否か（ステップＳ１０３）を確認することができる。
【００２８】
内線Ａ（２０）のユーザ（発信側ユーザ）が内線Ｂ（３０）に対して内線で発信操作を行なったとき（ステップＳ１０５）、内線Ｂ（３０）が圏内にいる場合（ステップＳ１００）には、主装置１０（制御部１０４）は、無線端末制御部１０４ａによる制御の下、呼制御部１０４ｂが無線ＬＡＮを介して内線Ｂ（３０）に内線発信する。一方、内線Ｂ（３０）が圏外であって（ステップＳ１０３）、無線アクセスポイント２１から内線Ｂ（３０）の圏外情報を受信（ステップＳ１０４）していた場合、主装置１０（制御部１０４）は、ＵＩ提示部１０４ｄが、内線Ａ（２０）からの発信（ステップＳ１０６）に対し、呼出を返す（ステップＳ１０７）とともに、発信方法を示す画面情報を生成して内線Ａ（２０）に送信する（ステップＳ１０８）。図３（ａ）にその画面情報の一例が示されているように、ここでは発信方法の選択肢（「１：３Ｇによる発信」か「２：内線発信リトライ」か）が表示される（ステップＳ１０９：発信方法画面（ａ）の表示）。
【００２９】
なお、主装置１０（制御部１０４）は、ＵＩ提示部１０４ｄが、内線Ａ（２０）に対し画面情報の生成に必要なデータのみ送信し、そのデータを受信した内線Ａ（２０）が画面情報を生成して表示しても良い。
【００３０】
発信側ユーザは、主装置１０から送信された画面情報によって発信方法を選択することができる。このとき、内線Ａ（２０）に位置情報も併せて通知していれば、提示する画面情報にその位置情報も提示することにより、発信者側ユーザが３Ｇによる発信にするか、内線発信リトライにするかの判断材料としてより有効である。また、図３（ａ）に示すように、発信先（内線Ｂ（３０））の圏外移行時刻（××××より圏外）、および圏外時における位置（×××フロア）を更に提示してもよい。これにより、発信側ユーザは内線Ｂ（３０）が社内にはいるが電波状況が悪いのか、社内にいないのか、戻る可能性があるのか等の予測ができ、発信方法を選択するための更なる判断材料になる。
【００３１】
発信側ユーザが、「２：内線発信リトライ」を選択した場合（ステップＳ１１０）、主装置１０（制御部１０４）は、内線Ａ（２０）から選択情報を受け（ステップＳ１１１）、待機ガイダンス（メッセージ）を送出し（ステップＳ１１２）、内線Ｂ（３０）が圏外から圏内に遷移するのを待つ（ステップＳ１１３）。
【００３２】
そして、主装置１０（制御部１０４）は、ＵＩ提示部１０４ｄが、内線Ａ（２０）に対し、例えば、図３（ｂ）に示す画面情報を提示する（ステップＳ１１４）。これにより内線Ａ（２０）は、内線発信リトライ中における接続状況（相手先圏外）の他に、「発信キャンセル」が更なる選択肢として内線Ａ（２０）に表示される（ステップＳ１１５）。ここで、「発信キャンセル」が選択されると、発信キャンセルでＢＴ（話中音）を聴取し、発信終了となる。
【００３３】
次に、内線Ｂ（３０）が圏内復帰して（ステップＳ１１６）、無線アクセスポイント２１から圏内通知を位置情報とともに受信することにより（ステップＳ１１７，Ｓ１１８）、主装置１０（制御部１０４）は、ＵＩ提示部１０４ｄが、図３（ｃ）に一例を示す画面情報を生成して内線Ａ（２０）に送信する（ステップＳ１１９）。ここでは、内線発信（発信先圏外）の「（発信先圏外）」の表示が消えるようにしている。
【００３４】
内線Ｂが圏内に戻ると、主装置１０（制御部１０４）は、無線端末制御部１０４ａによる制御の下で呼制御部１０４ｂが、無線アクセスポイント２１経由で内線Ｂ（３０）に内線で発信する（ステップＳ１２０）。すると、内線Ｂ（３０）は、無線アクセスポイント２１経由で主装置１０を呼出（ステップＳ１２１）を通知する。これを受けた主装置１０（制御部１０４）は、呼制御部１０４ｂが、内線Ａ（２０）に対し、待機ガイダンスからＲＢＴ（Ringing Back Tone）に変更して送出する（ステップＳ１２２）。そして、内線着信中の内線Ｂ（３０）（ステップＳ１２３）が応答する（ステップＳ１２４）と、主装置１０（制御部１０４）は、応答を受けて（ステップＳ１２５）、内線Ａ（２０）に応答を送信し（ステップＳ１２６）、呼制御部１０４ｂが、その応答確認を経て（ステップＳ１２７）、内線Ａ（２０）と内線Ｂ（３０）を内線通話状態にする（ステップＳ１２８）。
【００３５】
なお、ステップＳ１１０で、画面情報を確認した発信側ユーザが「１．３Ｇによる発信」を選択した場合、主装置１０（制御部１０４）は、呼制御部１０４ｂが、記憶部１０３の所定の領域に記憶されている電話番号管理テーブル１０３ｂの内容を参照し、内線Ｂ（３０）の携帯電話番号による発信を行う。なお、このときの発信先番号についてはあらかじめ登録が必要である。
【００３６】
上記したように、実施例１の電話システム１によれば、主装置１０は、発信側ユーザが着信相手に対して内線発信を行い、着信相手の無線端末３０が圏外になっている場合、即座に携帯電話網１２を利用して発信するのではなく、発信側ユーザに対し、例えば、携帯電話網１２を利用してでも即座に着信相手に発信するのか、あるいは、内線で発信するのか（着信相手が社内等にいて一時的に圏外になっている可能性や通話料金をかけてまで電話するような内容ではない場合に、着信相手が戻ってくるのを期待して）を選択させるＵＩ（ユーザインタフェース）を提供し、発信側ユーザの選択に応じた発呼制御を行う。このため、例えば、相手が社内にいて無線の輻輳等で一時的に無線アクセスポイント２１との接続ができない状態（圏外状態）になっている場合に通話料金を要することなく発信することができる。すなわち、発信者の意向に沿った発信が可能になる。
【００３７】
上記した実施例１では、発信側ユーザが、主装置１０により提示された画面情報に基づき、「２．内線発信リトライ」を選択した場合に、発信側の内線Ａ（２０）が主装置１０と通話パスを接続した状態で着信側の内線Ｂ（３０）が圏内復帰するまで待機するケースを例示して説明した。これに対し、主装置１０（制御部１０４）が、発信側の内線Ａ（２０）を切断し、着信側の内線Ｂ（３０）の圏内復帰時に主装置１０（制御部１０４）からのコールバックにより発信側の内線Ａ（２０）が呼び出し応答後に着信側の内線Ｂ（３０）と接続してもよく、このケースを実施例２として以下に説明する。
【００３８】
実施例２．
ここでは、図４のシーケンス図を参照し、発信側ユーザが内線Ａ（２０）を切断して着信待機する場合の動作について説明する。ここでは、内線Ｂは、圏外にいるものとして説明する。
【００３９】
図４は、内線Ａ（２０）から内線Ｂ（３０）へ発信が行われ、主装置１０（制御部１０４）は、ＵＩ提示部１０４ｄが、記憶部１０３の所定の領域に記憶された接続情報１０３ａを読み出し、内線Ａ（２０）に、発信方法を提示する画面情報を生成して送信し、内線Ａ（２０）に発信方法画面（ａ）が表示されている状態（ステップＳ２０１）からのシーケンス図である。ここで提示される画面情報の一例が図５（ａ）に示されており、上記した基本動作で示した画面情報（図３（ａ））と同様である。
【００４０】
発信側ユーザがその選択肢の中から「２：内線発信リトライ」を選択すると（ステップＳ２０２）、主装置１０（制御部１０４）は、選択情報を受け（ステップＳ２０３）、内線Ａ（２０）に画面情報を送出する（ステップＳ２０４）。内線Ａ（２０）には発信方法画面（ｂ）が表示される（ステップＳ２０５）。ここでは、その選択肢として、図５（ｂ）にその一例を示すように、「１．発信キャンセル」の他に、「２．切断→内線Ｂからの着信待ち」が表示される。
【００４１】
発信側ユーザは、その選択肢の中から「２．切断→内線Ｂからの着信待ち」を選択すると（ステップＳ２０６）、内線Ａ（２０）からの切断（ステップＳ２０７）を受け、主装置１０は、制御部１０４（呼制御部１０４ｂ）が通話パスを切断し（ステップＳ２０８）、同時に、ＵＩ提示部１０４ｄが、取り込んだ選択肢を呼制御部１０４ｂに引き渡し、これをうけた呼制御部１０４ｂが、内線Ｂ（３０）の圏内復帰によるコールバック情報（種別：コールバック、発信先：内線Ａ）を記憶部１０３の所定の領域１０３ｃに記憶して内線Ｂ（３０）の圏内復帰を待機する（ステップＳ２０９）。
【００４２】
なお、図示省略したが、このとき、呼制御部１０４ｂは、タイマ監視部１０４ｅのタイマを起動し、その設定時間内に内線Ｂ（３０）が圏内に復帰しなければその記憶内容を削除する。そして、内線Ｂ（３０）が圏内復帰し（ステップＳ２１０）、無線アクセスポイント２１から圏内通知を受信した主装置１０の制御部１０４（在圏確認部１０４ｃ）で内線Ｂが圏内復帰したことが確認され（ステップＳ２１１）、または、内線Ｂ（３０）の位置情報を取得し、圏内にいることが確認されると（ステップＳ２１２）、記憶部１０３の所定領域１０３ｃに記憶したコールバック情報を参照（ステップＳ２１３）し、呼制御部１０４ｂは、無線アクセスポイント２１を介して内線Ｂ（３０）に発信する（ステップＳ２１４）。なお、圏内復帰に関して、内線Ｂ（３０）からの位置情報は必ずしも必要ではない。
【００４３】
内線Ｂ（３０）が、無線アクセスポイント２１を介して主装置１０に呼出を送信する（ステップＳ２１５）。そして、内線着信中の内線Ｂ（３０）（ステップＳ２１６）が応答すると（ステップＳ２１７）、主装置１０に応答通知を送信する（ステップＳ２１８）。これを受けて主装置１０（制御部１０４）の呼制御部１０４ｂが応答確認を経て（ステップＳ２１９）、内線Ａに発信（コールバック）する（ステップＳ２２０）。続いて、内線Ａ（２０）から呼出を受け（ステップＳ２２１）、内線着信中（ステップＳ２２２）の内線Ａ（２０）の発信側ユーザが応答すると（ステップＳ２２３）、応答を得た（ステップＳ２２４）主装置１０（制御部１０４）は、その応答確認を得て（ステップＳ２２５）、内線Ａ（２０）と内線Ｂ（３０）とを内線通話状態とする（ステップＳ２２６）。
【００４４】
すなわち、主装置１０により内線Ａ（２０）へ提示される画面情報から内線発信が指示されると、主装置１０は、内線Ｂ（３０）との通話パスを切断した後、主装置１０からの発信による内線Ａ（２０）の応答により、内線Ａ（２０）にコールバックを行う。
【００４５】
上記した実施例２によれば、主装置１０は、内線端末２０へ通知した画面情報から内線発信が指示されると、内線端末２０との通話パスを切断した後、主装置１０からの発信による内線端末２０の応答により内線端末２０にコールバックを行うことで、発信時の発信側ユーザの負担が軽減される。
【００４６】
（実施形態の効果）
以上説明のように本実施形態に係る電話システム１によれば、構内交換機（主装置１０）が、無線アクセスポイント２１から通知される無線端末３０（内線Ｂ）の接続状況を示す接続情報を記憶し、内線端末２０（内線Ａ）から無線端末３０へ内線発信すると、記憶した接続情報を読み出し、内線端末２０に発信方法を提示する画面情報を通知する。したがって、発信側ユーザは、画面情報から発信者の意向に沿った発信方法を選択でき、使い勝手が向上する。
【００４７】
また、本実施形態に係る電話システム１によれば、着信相手となる無線端末３０が、主装置１０に対して位置情報を通知し、主装置１０が、発信側である内線端末２０に提示する画面情報に位置情報も付加することで、発信側ユーザは、発信方法を選択する際の判断材料になる。また、主装置１０は、内線端末２０へ通知した画面情報から内線発信が指示されると、内線端末２０との通話パスを切断した後、主装置１０からの発信による内線端末２０の応答により内線端末２０にコールバックを行うことで、発信時の発信側ユーザの負担が軽減される。
【００４８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またそのような変更または改良を加えた形態も本発明の技術的範囲に含まれ得ることが、特許請求の範囲の記載から明らかである。
【符号の説明】
【００４９】
１…電話システム、１０…構内交換機（主装置）、１１…公衆交換電話網（ＰＳＴＮ）、１２…携帯電話網（３Ｇ）、１３…ＬＡＮ、２０…内線端末Ａ１，Ａ２、２１…無線アクセスポイント、３０…内線端末Ｂ（無線端末）、１０１…網インタフェース部、１０２…内線インタフェース部、１０３…記憶部（１０３ａ…接続情報、１０３ｂ…電話番号管理テーブル、１０３ｃ…コールバック情報）、１０４…制御部（１０４ａ…無線端末制御部、１０４ｂ…呼制御部、１０４ｃ…在圏確認部、１０４ｄ…ＵＩ提示部、１０４ｅ…タイマ監視部）
【図１】
2016082253.tif 000003
【図２】
2016082253.tif 000004
【図３】
2016082253.tif 000005
【図４】
2016082253.tif 000006
【図５】
2016082253.tif 000007